(57)【要約】【解決手段】  本発明は、物理ハイブリッドARQインジケータチャネルの割り当て方法を提供する。時分割デュプレックスシステムにおいて、複数のアップリンクのサブフレームは、同一のダウンリンクのサブフレームにより指示情報を送信する。この方法は、時分割デュプレックスシステムにおいて、インデックスのルールに基づいて、アップリンクのデータが配置された物理リソースブロックのインデックスと前記アップリンクのデータが配置されたアップリンクのサブフレームのインデックスから、物理ハイブリッドARQインジケータチャネルの、ダウンリンクのサブフレームにおける物理ハイブリッドARQインジケータチャネルグループのインデックスと、この物理ハイブリッドARQインジケータチャネルグループにおけるインデックスを特定し、さらに、前記グループのインデックスと前記グループ内におけるインデックスに基づいて、前記物理ハイブリッドARQインジケータチャネルのインデックスを特定する。本発明の方法は、暗黙的なマッピングにより各アップリンクのサブフレームに対するダウンリンク指示メッセージを送信する物理ハイブリッドARQインジケータチャネルの割り当てを実現し、従来技術の複数の指示メッセージが同一の物理ハイブリッドARQチャネルにある問題を克服する。
2011514788.tif 000002
【特許請求の範囲】
【請求項１】
時分割デュプレックスシステムにおいて、複数のアップリンクのサブフレームが同一のダウンリンクのサブフレームにより指示情報を送信するための物理ハイブリッドARQインジケータチャネルの割り当て方法であって、
時分割デュプレックスシステムにおいて、インデックスのルールに基づいて、アップリンクのデータが配置された物理リソースブロックのインデックスと前記アップリンクのデータが配置されたアップリンクのサブフレームのインデックスから、物理ハイブリッドARQインジケータチャネルの、ダウンリンクのサブフレームにおける物理ハイブリッドARQインジケータチャネルグループのインデックスと、この物理ハイブリッドARQインジケータチャネルグループにおけるインデックスを特定し、さらに、前記グループのインデックスと前記グループ内におけるインデックスに基づいて、前記物理ハイブリッドARQインジケータチャネルのインデックスを特定することを特徴とする物理ハイブリッドARQインジケータチャネルの割り当て方法。
【請求項２】
さらに、前記アップリンクのデータに対応するパイロット巡回シフト量のインデックスに基づいて、前記物理ハイブリッドARQインジケータチャネルの、ダウンリンクのサブフレームにおける物理ハイブリッドARQインジケータチャネルグループのインデックスと、この物理ハイブリッドARQインジケータチャネルグループ内のインデックスを特定することを特徴とする請求項１に記載の物理ハイブリッドARQインジケータチャネルの割り当て方法。
【請求項３】
前記インデックスのルールは、まずアップリンクのサブフレームの番号に基づいて、次に物理リソースブロックに基づいてインデックスを行うことを特徴とする請求項２に記載の物理ハイブリッドARQインジケータチャネルの割り当て方法。
【請求項４】
具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
ターゲットのダウンリンクのサブフレームにおけるダウンリンク指示メッセージが送信可能な物理ハイブリッドARQチャネルグループの数を特定し、それをアップリンクのサブフレームのインデックスIndexUSFに基づいて順に連続的、均等的にk個のアップリンクのサブフレームに割り当て、
アップリンクのサブフレームのインデックスIndexUSFの順に、アップリンクのサブフレームごとにすべての物理リソースブロックに対して番号を付け、すべての物理リソースブロックに対して、そのインデックスを決定し、
各アップリンクのサブフレームにおけるすべての物理リソースブロックのインデックスをこのアップリンクのサブフレームに対応するすべての物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングし、
アップリンクのデータに対応するパイロット巡回シフト量のインデックスに基づいて、物理ハイブリッドARQチャネルグループ同士および物理ハイブリッドARQチャネルグループ内において位置を調整することを特徴とする請求項３に記載の物理ハイブリッドARQインジケータチャネルの割り当て方法。
【請求項５】
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームが1つのアップリンクのサブフレームのみに対応する際の使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
前記ダウンリンクのサブフレームにおける物理ハイブリッドARQインジケータチャネルグループのインデックスIndexgroupは、
Indexgroup=(Index1stPRB+IndexDMRS) mod Ngroup+Ngroup×IndexUSFであり、
この物理ハイブリッドARQインジケータチャネルグループにおけるチャネルのインデックスIndexlocalは、
Indexlocal = ([Index1stPRB / Ngroup]  + IndexDMRS ) mod Nlocalであり、
最終的に、前記物理ハイブリッドARQインジケータチャネルのインデックスIndexPHICHは、
IndexPHICH = Indexgroup + Indexlocal × Ngroup
あるいは、 
IndexPHICH = Ngroup×Nlocal×IndexUSF + Indexgroup − Ngroup×IndexUSF + Indexlocal×Ngroupであることを特定し、
その中、前記[]は、切り捨てることを意味し、演算子のmodはモジュロ操作を意味することを特徴とする請求項４に記載の物理ハイブリッドARQインジケータチャネルの割り当て方法。
【請求項６】
具体的に物理ハイブリッドARQインジケータチャネルの割り当てを前記インデックスのルールに基づいて行う場合、
同一のダウンリンクのサブフレームによりダウンリンクの指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、同一のダウンリンクのサブフレームに指示メッセージが送信されるすべてのアップリンクのサブフレームの物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整することを特徴とする請求項３に記載の物理ハイブリッドARQインジケータチャネルの割り当て方法。
【請求項７】
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
まず、アップリンクのサブフレームにおける物理リソースブロックのインデックスIndexPRBは、
IndexPRB = Index1stPRB + IndexUSF ×NPRBであり、
前記ダウンリンクのサブフレームにおける物理ハイブリッドARQインジケータチャネルグループのインデックスIndexgroupは、
Indexgroup =  (IndexPRB  + IndexDMRS) mod Ngroupであり、
この物理ハイブリッドARQインジケータチャネルグループにおけるチャネルのインデックスIndexlocalは、
Indexlocal = ([IndexPRB / Ngroup]  + IndexDMRS ) mod Nlocalであり、
最終的に、前記物理ハイブリッドARQインジケータチャネルのインデックスIndexPHICHは
IndexPHICH = Indexgroup + Indexlocal × Ngroupであることを特定し、
その中、前記[]は、切り捨てることを意味し、演算子のmodはモジュロ操作を意味する ことを特徴とする請求項６に記載の物理ハイブリッドARQインジケータチャネルの割り当て方法。
【請求項８】
前記インデックスのルールは、まず物理リソースブロックに基づいて、次にアップリンクのサブフレームの番号に基づいてインデックスを行うことを特徴とする請求項２に記載の物理ハイブリッドARQインジケータチャネルの割り当て方法。
【請求項９】
具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、すべてのアップリンクのサブフレームにおける同一の位置の物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当てし、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整することを特徴とする請求項８に記載の物理ハイブリッドARQインジケータチャネルの割り当て方法。
【請求項１０】
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
まず、アップリンクのサブフレームにおける物理リソースブロックのインデックスIndexPRBは、
IndexPRB = Index1stPRB × k + IndexUSFであり、
前記ダウンリンクのサブフレームにおける物理ハイブリッドARQインジケータチャネルグループのインデックスIndexgroupは、
Indexgroup =  (IndexPRB  + IndexDMRS) mod Ngroupであり、
この物理ハイブリッドARQインジケータチャネルグループにおけるチャネルのインデックスIndexlocalは、
Indexlocal = ([IndexPRB / Ngroup]  + IndexDMRS ) mod Nlocalであり、
最終的に、前記物理ハイブリッドARQインジケータチャネルのインデックスIndexPHICHは
IndexPHICH = Indexgroup + Indexlocal × Ngroupであることを特定し、
その中、前記[]は、切り捨てることを意味し、演算子のmodはモジュロ操作を意味する ことを特徴とする請求項９記載の物理ハイブリッドARQインジケータチャネルの割り当て方法。
【請求項１１】
具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、すべてのアップリンクのサブフレームにおける同一の位置の物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループにペア単位で均等に割り当て、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整することを特徴とする請求項８に記載の物理ハイブリッドARQインジケータチャネルの割り当て方法。
【請求項１２】
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
前記ダウンリンクのサブフレームにおける物理ハイブリッドARQインジケータチャネルグループのインデックスIndexgroupは、
Indexgroup =  (Index1stPRB  + IndexDMRS) mod Ngroupであり、
この物理ハイブリッドARQインジケータチャネルグループにおけるチャネルのインデックスIndexlocalは、
Indexlocal = ([Index1stPRB / Ngroup] × k + IndexUSF + IndexDMRS ) mod Nlocalであり、
最終的に、前記物理ハイブリッドARQインジケータチャネルのインデックスIndexPHICHは、
IndexPHICH = Indexgroup + Indexlocal × Ngroup
あるいは、 
IndexPHICH = Indexgroup × k + IndexUSF + [ Indexlocal / k] ×k×Ngroupであることを特定し、
その中、前記[]は、切り捨てることを意味し、演算子のmodはモジュロ操作を意味することを特徴とする請求項１１に記載の物理ハイブリッドARQインジケータチャネルの割り当て方法。
【請求項１３】
前記時分割デュプレックスシステムにおいて、複数のアップリンクのサブフレームが同一のダウンリンクのサブフレームにより送信する指示情報は、アップリンクのサブフレームにおけるアップリンクのデータに対する確認メッセージACKまたは否認メッセージNACKであることを特徴とする請求項１から１２のいずれか１項に記載の物理ハイブリッドARQインジケータチャネルの割り当て方法。
【請求項１４】
前記アップリンクのサブフレームは、連続的なアップリンクのサブフレームであり、アップリンクのサブフレームの数kは1または2であり、前記物理ハイブリッドARQインジケータチャネルグループに含まれている物理ハイブリッドARQインジケータチャネルの数Nlocalは8であり、
前記アップリンクのデータに対応するパイロット巡回シフト量のインデックスの値は、前記各式で0であることを特徴とする請求項６、８、１０または１２のいずれか１項に記載の物理ハイブリッドARQインジケータチャネルの割り当て方法。
【請求項１５】
前記k個のアップリンクのサブフレームに対して新たに番号を付け、IndexUSFを取得するルールは、前記k個のアップリンクのサブフレームに対して、#0，…，#k-1の順に番号を付け、即ち、IndexUSFの値の範囲は0からk-1までであることを特徴とする請求項６、８、１０または１２のいずれか１項に記載の物理ハイブリッドARQインジケータチャネルの割り当て方法。
【請求項１６】
前記アップリンクのサブフレームにおけるアップリンクのデータが配置された物理リソースブロックのインデックスは、アップリンクのデータの配置された物理リソースブロックのうち番号最大または番号最小の物理リソースブロックのインデックスであり、
この番号最大または番号最小の物理リソースブロックのインデックスは、このアップリンクのサブフレームにおけるアップリンクのデータに対応する物理リソースブロックの先頭または終了ブロックを標記することを特徴とする請求項１、２、６、８、１０または１２のいずれか１項に記載の物理ハイブリッドARQインジケータチャネルの割り当て方法。
【発明の詳細な説明】
【技術分野】
【０００１】
本発明は、移動通信に関し、特にブロードバンド無線通信システムにおける物理ハイブリッドARQインジケータチャネルの割り当て方法に関する。
【背景技術】
【０００２】
HARQ（Hybrid Automatic Repeat Request、ハイブリッド自動リピート要求）では、送信端の発信したコードは、エラーの検出を行うことができるだけでなく、エラー訂正能力もある。受信端のデコーダは、コードを受信した後、まずエラーをチェックし、コードのエラー訂正能力の範囲内にある場合、自動的にエラーを訂正し、エラーが多く、コードのエラー訂正能力を超えるが、エラーを検出することができる場合、受信端はフィードバックチャネルを介して送信端に判定信号を送信し、情報の再送信を請求する。
【０００３】
OFDM（Orthogonal Frequency Division Multiplexing、直交周波数分割多重）システムでは、ACK / NACK（Acknowledged / Non-acknowledged）制御シグナリングで情報の伝送の正確またはエラーを示し、再送信の必要があるかどうかを判断する。
【０００４】
現在、LTE（Long Term Evolution）システムでは、アップリンクのデータに関するACK / NACKのメッセージは物理ハイブリッドARQインジケータチャネルに送信される。物理ハイブリッドARQインジケータチャネルは、明示的なシグナリング及び暗黙的なマッピングによって表現される2種類の割り当て方法があり、後者は、前者と比較して、追加のオーバーヘッドの必要がなく、より有利である。
【０００５】
暗黙的なマッピングは主に2つの方法がある。一つはアップリンクの承認の制御シグナリングが配置された制御ロジックユニットのインデックスにより行われ、もう一つはアップリンクのデータが配置された番号最小の物理リソースブロックとアップリンクのデータのパイロット巡回シフトにより行われる。アップリンクのHARQが同期でかつ自己適応であるため、送信端は、データを再送する際に、再送データの送信位置を指示する新たな制御シグナリングが必要なく、最初の送信時の位置を使用し再送データを送信する。また、時分割デュプレックスシステムでは、ダウンリンクとアップリンクとは、スロットの比率が様々であるため、アップリンクのスロットとダウンリンクのスロットが異なる状況がある。
【０００６】
前者の暗黙的なマッピングによりデータを再送する場合、再送データのACK / NACKメッセージと新たなデータのACK / NACKメッセージが同一の物理ハイブリッドARQインジケータチャネルPHICHにマッピングされるため、ターゲットユーザーが正確なACK / NACKメッセージを取得することができなくなってしまうことがある。
【０００７】
後者の暗黙的なマッピングは、TDDシステムで、アップリンクとダウンリンクのタイムスロットの比率が3:1である場合、異なるアップリンクのサブフレームのデータに対するACK / NACKメッセージが同一の物理ハイブリッドARQインジケータチャネルPHICHにマッピングされるため、ターゲットユーザーが正確なACK / NACKメッセージを取得することができなくなってしまうことがある。
【０００８】
したがって、時分割デュプレックスシステムにおける物理ハイブリッドARQインジケータチャネルPHICHの割り当ての問題を解決するためのより完全な発明を提供する必要がある。
【発明の概要】
【発明が解決しようとする課題】
【０００９】
本発明が解決しようとする課題は、従来技術において存在するおそれがある、複数の指示メッセージが同一の物理ハイブリッドARQチャネルにある問題を克服するために、時分割デュプレックスシステムにおいて、複数のアップリンクのサブフレームのダウンリンク指示メッセージが同一のダウンリンクのサブフレームに対応する場合、暗黙的なマッピングにより、各アップリンクのサブフレームのダウンリンク指示メッセージを送信する物理ハイブリッドARQインジケータチャネルの割り当てインデックスを実現する物理ハイブリッドARQインジケータチャネルの割り当て方法を提供する。
【００１０】
本発明は、前記問題を解決するために、アップリンクのデータに関するACK / NACKの指示メッセージが配置された物理ハイブリッドARQインジケータチャネルをインデックスする物理ハイブリッドARQインジケータチャネルの割り当て方法を提案する。
【課題を解決するための手段】
【００１１】
時分割デュプレックスシステムにおいて、複数のアップリンクのサブフレームが同一のダウンリンクのサブフレームにより指示情報を送信するための物理ハイブリッドARQインジケータチャネルの割り当て方法であって、
時分割デュプレックスシステムにおいて、インデックスのルールに基づいて、アップリンクのデータが配置された物理リソースブロックのインデックスと前記アップリンクのデータが配置されたアップリンクのサブフレームのインデックスから、物理ハイブリッドARQインジケータチャネルの、ダウンリンクのサブフレームにおける物理ハイブリッドARQインジケータチャネルグループのインデックスと、この物理ハイブリッドARQインジケータチャネルグループにおけるインデックスを特定し、さらに、前記グループのインデックスと前記グループ内におけるインデックスに基づいて、前記物理ハイブリッドARQインジケータチャネルのインデックスを特定する物理ハイブリッドARQインジケータチャネルの割り当て方法を提供する。
【００１２】
さらに、前記割り当て方法において、さらに、前記アップリンクのデータに対応するパイロット巡回シフト量のインデックスに基づいて、前記物理ハイブリッドARQインジケータチャネルの、ダウンリンクのサブフレームにおける物理ハイブリッドARQインジケータチャネルグループのインデックスと、この物理ハイブリッドARQインジケータチャネルグループ内のインデックスを特定する。
【００１３】
さらに、前記割り当て方法において、前記インデックスのルールは、まずアップリンクのサブフレームの番号に基づいて、次に物理リソースブロックに基づいてインデックスを行う。
【００１４】
さらに、具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
ターゲットのダウンリンクのサブフレームにおけるダウンリンク指示メッセージが送信可能な物理ハイブリッドARQチャネルグループの数を特定し、それをアップリンクのサブフレームのインデックスIndexUSFに基づいて順に連続的、均等的にk個のアップリンクのサブフレームに割り当て、
アップリンクのサブフレームのインデックスIndexUSFの順に、アップリンクのサブフレームごとにすべての物理リソースブロックに対して番号を付け、すべての物理リソースブロックに対して、そのインデックスを決定し、
各アップリンクのサブフレームにおけるすべての物理リソースブロックのインデックスをこのアップリンクのサブフレームに対応するすべての物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングし、
アップリンクのデータに対応するパイロット巡回シフト量のインデックスに基づいて、物理ハイブリッドARQチャネルグループ同士および物理ハイブリッドARQチャネルグループ内において位置を調整する。
【００１５】
さらに、前記割り当て方法は、
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームが1つのアップリンクのサブフレームのみに対応する際の使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
前記ダウンリンクのサブフレームにおける物理ハイブリッドARQインジケータチャネルグループのインデックスIndexgroupは、
Indexgroup=(Index1stPRB+IndexDMRS) mod Ngroup+Ngroup×IndexUSFであり、
この物理ハイブリッドARQインジケータチャネルグループにおけるチャネルのインデックスIndexlocalは、
Indexlocal = ([Index1stPRB / Ngroup]  + IndexDMRS ) mod Nlocalであり、
最終的に、前記物理ハイブリッドARQインジケータチャネルのインデックスIndexPHICHは、
IndexPHICH = Indexgroup + Indexlocal × Ngroup
あるいは、 
IndexPHICH = Ngroup×Nlocal×IndexUSF + Indexgroup − Ngroup×IndexUSF + Indexlocal×Ngroupであることを特定し、
その中、前記[]は、切り捨てることを意味し、演算子のmodはモジュロ操作を意味する。
【００１６】
さらに、具体的に物理ハイブリッドARQインジケータチャネルの割り当てを前記インデックスのルールに基づいて行う場合、
同一のダウンリンクのサブフレームによりダウンリンクの指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、同一のダウンリンクのサブフレームに指示メッセージが送信されるすべてのアップリンクのサブフレームの物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００１７】
さらに、前記割り当て方法は、
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
まず、アップリンクのサブフレームにおける物理リソースブロックのインデックスIndexPRBは、
IndexPRB = Index1stPRB + IndexUSF ×NPRBであり、
前記ダウンリンクのサブフレームにおける物理ハイブリッドARQインジケータチャネルグループのインデックスIndexgroupは、
Indexgroup =  (IndexPRB  + IndexDMRS) mod Ngroupであり、
この物理ハイブリッドARQインジケータチャネルグループにおけるチャネルのインデックスIndexlocalは、
Indexlocal = ([IndexPRB / Ngroup]  + IndexDMRS ) mod Nlocalであり、
最終的に、前記物理ハイブリッドARQインジケータチャネルのインデックスIndexPHICHは
IndexPHICH = Indexgroup + Indexlocal × Ngroupであることを特定し、
その中、前記[]は、切り捨てることを意味し、演算子のmodはモジュロ操作を意味する。
【００１８】
さらに、前記インデックスのルールは、まず物理リソースブロックに基づいて、次にアップリンクのサブフレームの番号に基づいてインデックスを行う。
【００１９】
さらに、具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、すべてのアップリンクのサブフレームにおける同一の位置の物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当てし、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００２０】
さらに、前記割り当て方法は、前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
まず、アップリンクのサブフレームにおける物理リソースブロックのインデックスIndexPRBは、
IndexPRB = Index1stPRB × k + IndexUSFであり、
前記ダウンリンクのサブフレームにおける物理ハイブリッドARQインジケータチャネルグループのインデックスIndexgroupは、
Indexgroup =  (IndexPRB  + IndexDMRS) mod Ngroupであり、
この物理ハイブリッドARQインジケータチャネルグループにおけるチャネルのインデックスIndexlocalは、
Indexlocal = ([IndexPRB / Ngroup]  + IndexDMRS ) mod Nlocalであり、
最終的に、前記物理ハイブリッドARQインジケータチャネルのインデックスIndexPHICHは
IndexPHICH = Indexgroup + Indexlocal × Ngroupであることを特定し、
その中、前記[]は、切り捨てることを意味し、演算子のmodはモジュロ操作を意味する。
【００２１】
さらに、具体的に物理ハイブリッドARQインジケータチャネルの割り当てを前記インデックスのルールに基づいて行う場合、
同一のダウンリンクのサブフレームにより指示メッセージが送信されるアップリンクのサブフレームの数kを特定し、前記k個のアップリンクのサブフレームに対して新たに番号を付け、アップリンクのサブフレームのインデックスであるIndexUSFを取得し、
アップリンクのサブフレームのインデックスIndexUSFの順に、すべてのアップリンクのサブフレームにおける同一の位置の物理リソースブロックを並べ、物理リソースブロックのインデックスとして、順番に番号を付け、
すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループにペア単位で均等に割り当て、物理ハイブリッドARQチャネルグループにおいて対応する物理リソースブロックのインデックスをグループ内の物理ハイブリッドARQチャネルに順番にマッピングし、
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００２２】
さらに、前記割り当て方法は、
前記アップリンクのサブフレームの数kを特定し、前記k個のアップリンクのサブフレームに対して新たに番号を付け、インデックスであるIndexUSFを取得し、
現在のシステム帯域幅で使用可能なリソースブロックの総数NPRB、アップリンクのサブフレームのうち、アップリンクのデータが配置された番号最小の物理リソースブロックのインデックスIndex1stPRB、前記アップリンクのデータに対応するパイロット巡回シフト量のインデックスIndexDMRSを特定し、
前記ダウンリンクのサブフレームにおける使用可能な物理ハイブリッドARQインジケータチャネルグループの総数Ngroup、一つの物理ハイブリッドARQインジケータチャネルグループに含まれる物理ハイブリッドARQインジケータチャネルの数Nlocalを特定した場合、
前記ダウンリンクのサブフレームにおける物理ハイブリッドARQインジケータチャネルグループのインデックスIndexgroupは、
Indexgroup =  (Index1stPRB  + IndexDMRS) mod Ngroupであり、
この物理ハイブリッドARQインジケータチャネルグループにおけるチャネルのインデックスIndexlocalは、
Indexlocal = ([Index1stPRB / Ngroup] × k + IndexUSF + IndexDMRS ) mod Nlocalであり、
最終的に、前記物理ハイブリッドARQインジケータチャネルのインデックスIndexPHICHは、
IndexPHICH = Indexgroup + Indexlocal × Ngroup
あるいは、 
IndexPHICH = Indexgroup × k + IndexUSF + [ Indexlocal / k] ×k×Ngroupであることを特定し、
その中、前記[]は、切り捨てることを意味し、演算子のmodはモジュロ操作を意味する。
【００２３】
さらに、前記割り当て方法において、前記時分割デュプレックスシステムにおいて、複数のアップリンクのサブフレームが同一のダウンリンクのサブフレームにより送信する指示情報は、アップリンクのサブフレームにおけるアップリンクのデータに対する確認メッセージACKまたは否認メッセージNACKである。前記アップリンクのサブフレームは、連続的なアップリンクのサブフレームであり、アップリンクのサブフレームの数kは1または2であり、前記物理ハイブリッドARQインジケータチャネルグループに含まれている物理ハイブリッドARQインジケータチャネルの数Nlocalは8である。前記k個のアップリンクのサブフレームに対して新たに番号を付け、IndexUSFを取得するルールは、前記k個のアップリンクのサブフレームに対して、#0，…，#k-1の順に番号を付け、即ち、IndexUSFの値の範囲は0からk-1までである。
【００２４】
さらに、前記割り当て方法において、前記アップリンクのデータに対応するパイロット巡回シフト量のインデックスの値は、前記各式で0であり、つまり、この変数IndexDMRSは存在しないことに相当する。
【００２５】
さらに、前記割り当て方法において、前記アップリンクのサブフレームにおけるアップリンクのデータが配置された物理リソースブロックのインデックスは、アップリンクのデータの配置された物理リソースブロックのうち番号最大または番号最小の物理リソースブロックのインデックスであり、この番号最大または番号最小の物理リソースブロックのインデックスは、このアップリンクのサブフレームにおけるアップリンクのデータに対応する物理リソースブロックの先頭または終了ブロックを標記する。
【発明の効果】
【００２６】
本発明の物理ハイブリッドARQインジケータチャネル割り当て方法は、アップリンクのデータが配置された物理リソースブロックのインデックスと、前記アップリンクのデータに対応するパイロット巡回シフト量のインデックスと、前記アップリンクのデータが配置されたアップリンクのサブフレームのインデックスとを使用して、アップリンクのデータに関するACK / NACKのメッセージを送信する物理ハイブリッドARQインジケータチャネルのインデックスを表す。従来技術と比較すると、前記アップリンクのサブフレームのインデックスを追加するので、物理ハイブリッドARQインジケータチャネルをより正確に割り当て、チャネルの競合を回避し、シグナリングによるオーバーヘッドを削減するとともに、アップリンクのスロットとダウンリンクのスロットの比率が異なる場合にも適応する。
【図面の簡単な説明】
【００２７】
【図１】TDDシステムにおける無線フレームを模式的に示す図である。
【図２】本発明の物理ハイブリッドARQインジケータチャネルの割り当て方法に係わる応用例1を模式的に示す図である。
【図３】本発明の物理ハイブリッドARQインジケータチャネルの割り当て方法に係わる応用例2を模式的に示す図である。
【図４】本発明の物理ハイブリッドARQインジケータチャネルの割り当て方法に係わる応用例3を模式的に示す図である。
【図５】本発明の物理ハイブリッドARQインジケータチャネルの割り当て方法に係わる応用例4を模式的に示す図である。
【発明を実施するための形態】
【００２８】
以下、本発明の目的と解決手段と利点をより明確にするように、図面を参照しながら本発明をさらに詳しく説明する。
【００２９】
従来技術では、時分割デュプレックスシステムにおいて、アップリンクのサブフレームに対する確認/否認（ACK / NACK）指示メッセージがダウンリンクのサブフレームにより送信される場合、同一の物理ハイブリッドARQインジケータチャネルにより複数の指示メッセージが送信され、混乱する問題がある。本発明は、このような問題を克服するために、アップリンクのデータに関するACK / NACKメッセージが配置された物理ハイブリッドARQインジケータチャネルをインデックスする物理ハイブリッドARQインジケータチャネルの割り当て方法を提供し、ダウンリンクの指示メッセージ用物理ハイブリッドARQインジケータチャネルの割り当てを実現し、ACK / NACKのメッセージの送信混乱を回避する。
【００３０】
時分割デュプレックス（TDD、Time Division Duplex）システムの重要な特徴の一つは、アップリンクとダウンリンクの伝送用サブフレームが配置可能なことである。現在のLTE（Long Term Evolution、長期的な進化型）の時分割デュプレックスシステムにおけるフレームの構造を図1に示す。10msの無線フレームが、半分の5msのフレームに二分割され、半分の5msのフレームごとに、8つの一般的なスロットおよび、DwPTS、GPとUpPTSである3つの特別なスロットが含まれている。3つの特別なスロットは、時間の合計が1msであり、連続的な2つの一般的なスロットは、1msのサブフレームを形成する。その中、無線フレームにおけるサブフレーム＃0、サブフレーム＃5と特別なスロットDwPTSが、ダウンリンクのスロットに固定される。
【００３１】
TDDシステムで、アップリンクとダウンリンクのスロットの比率関係が多種であり、すなわち、図1に示す無線フレームにおけるアップリンクのスロットとダウンリンクのスロットに対する番号の割り当てはただ一つの例である。アップリンクとダウンリンクのスロットの比率関係が多種であるため、基地局がアップリンクのサブフレームによりデータを受信した後、ダウンリンクのサブフレームによりACK / NACKの指示メッセージを端末に送信する必要がある場合、このACK / NACKの指示メッセージがダウンリンクのサブフレームにおけるいくつかの物理ハイブリッドARQインジケータチャネルうちの一つのインジケータチャネルに伝送される。
【００３２】
伝送の正確性を実現し、複数のACK / NACKの指示メッセージが同一の物理ハイブリッドARQインジケータチャネルに伝送されることを回避するために、本発明は、時分割デュプレックスシステムにおいて、アップリンクのデータが配置された物理リソースブロックのインデックスと、前記アップリンクのデータに対応するパイロット巡回シフト量のインデックスと、前記アップリンクのデータが配置されたアップリンクのサブフレームのインデックスとを使用して、アップリンクのデータに関するACK / NACKメッセージを送信する物理ハイブリッドARQインジケータチャネルのインデックスを表す。従来技術に比較すると、前記アップリンクのサブフレームのインデックスを追加することにより、物理ハイブリッドARQインジケータチャネルをより正確に割り当て、チャネル競合を回避する。
【００３３】
前述した発明の思想に基づいて、本発明は、2つの技術案を提供し、また、それぞれの技術案について、2つの配置方法を提供する。次に、本発明の技術案を詳細に説明する。
【００３４】
技術案1：
連続的な2つのアップリンクのサブフレームのACK / NACKの指示メッセージが同一のダウンリンクのサブフレームにマッピングされる場合、まずアップリンクのサブフレームのインデックスを行い、次に物理リソースブロックのインデックスを行うことにより、物理ハイブリッドARQインジケータチャネルを割り当てる。
【００３５】
●第1種類の配置方法
まず、同一のダウンリンクのサブフレームによりACK/NACKのメッセージが送信されるアップリンクのサブフレームの数kを特定し、前記k個のアップリンクのサブフレームに対して新たに番号（#0，…，#k-1）を付ける。ユーザから送信したデータが配置されるアップリンクのサブフレームの、新たに番号が付けられたインデックスがIndexUSF（すなわち、＃0、...、＃k-1）である。
【００３６】
そして、ターゲットのダウンリンクのサブフレームにおけるダウンリンクACK/NACKメッセージが送信可能な物理ハイブリッドARQチャネルグループの数Ngroupを特定し、それをアップリンクのサブフレームのインデックスIndexUSFの順に均等にk種類に分類し、アップリンクのサブフレームごとにNgroup/k個の物理ハイブリッドARQチャネルグループを割り当てる。一つの物理ハイブリッドARQチャネルグループにチャネル数がNlocalである物理ハイブリッドARQチャネルが含まれ、アップリンクのサブフレームごとに対応する種類のチャネルグループの物理ハイブリッドARQチャネルにACK / NACKのメッセージを伝送する。
【００３７】
そして、アップリンクのサブフレームのインデックスIndexUSFの順に、アップリンクのサブフレームに順にすべての物理リソースブロックに対して番号を付け、すなわち、まず、1番目のアップリンクのサブフレームにおけるすべての物理リソースブロックに対して番号を付け、2番目のアップリンクのサブフレームにおいて、1番目のアップリンクのサブフレームの物理リソースブロックの番号に続いて、番号を付け、すべてのアップリンクのサブフレームにおけるすべての物理リソースブロックに対して番号を付けるまで、このように番号を付ける。すなわち、すべての物理リソースブロックに対して、そのインデックスを決定する。
【００３８】
そして、各アップリンクのサブフレームにおけるすべての物理リソースブロックのインデックスをこのアップリンクのサブフレームに対応するすべての物理ハイブリッドARQチャネルグループに均等に割り当てし、物理ハイブリッドARQチャネルグループにおいて対応する物理リソースブロックのインデックスをグループ内の物理ハイブリッドARQチャネルに順番にマッピングする。
【００３９】
そして、アップリンクのデータに対応するパイロット巡回シフト量のインデックスに基づいて、物理ハイブリッドARQチャネルグループ同士および物理ハイブリッドARQチャネルグループ内において位置を調整する。
【００４０】
現在のシステム帯域幅で使用可能なリソースブロックの総数をNPRBとし、ターゲットダウンリンクのサブフレームが1つのアップリンクのサブフレームのみに対応する際の使用可能な物理ハイブリッドARQチャネルグループの総数をNgroupとし、前記k個のアップリンクのサブフレームのうち、インデックスIndexUSFのアップリンクのサブフレームが配置された物理リソースブロックの最小の番号インデックスをIndex1stPRBとし、前記アップリンクのデータに対応するパイロット巡回シフト量のインデックスをIndexDMRSとし、一つの物理ハイブリッドARQチャネルグループに含まれる物理ハイブリッドARQチャネルの数をNlocalとし、ターゲットダウンリンクのサブフレームにおいて、ACK / NACKのメッセージを送信する物理ハイブリッドARQチャネルのインデックスをIndexPHICHとし、対応する物理ハイブリッドARQチャネルグループのインデックスをIndexgroupとし、ACK / NACKのメッセージを送信する物理ハイブリッドARQチャネルが位置する物理ハイブリッドARQチャネルグループ内におけるインデックスをIndexlocalとすると、前記第1種類の配置方法に基づいて、以下の式を得ることができる。
【００４１】
Indexgroup =  (Index1stPRB  + IndexDMRS) mod Ngroup + Ngroup ×IndexUSF
Indexlocal = ([Index1stPRB / Ngroup] + IndexDMRS ) mod Nlocal
IndexPHICH = Indexgroup + Indexlocal× Ngroup
あるいは、
IndexPHICH = Ngroup×Nlocal×IndexUSF + Indexgroup - Ngroup×IndexUSF + Indexlocal × Ngroup
その中、k = 1、2; Nlocal = 8である。
【００４２】
●第2種類の配置方法
まず、同一のダウンリンクのサブフレームによりACK/NACKのメッセージが送信されるアップリンクのサブフレームの数kを特定し、前記k個のアップリンクのサブフレームに対して新たに番号（#0，…，#k-1）を付ける。ユーザから送信したデータが配置されるアップリンクのサブフレームの、新たに番号が付けられたインデックスがIndexUSF（すなわち、＃0、...、＃k-1）である。
【００４３】
アップリンクのサブフレームのインデックスIndexUSFの順に、同一のダウンリンクのサブフレームにACK/NACKメッセージが送信されるすべてのアップリンクのサブフレームの物理リソースブロックを並べ、順番に番号を付けることにより、その物理リソースブロックのインデックスを決定する。
【００４４】
そして、すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当てし、物理ハイブリッドARQチャネルグループにおいて対応する物理リソースブロックのインデックスをグループ内の物理ハイブリッドARQチャネルに順番にマッピングする。
【００４５】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００４６】
第2種類の配置方法を実現するときに、まず、同一のダウンリンクのサブフレームにACK/NACKのメッセージが送信されるk個のアップリンクのサブフレームに対して新たに番号（#0，…，#k-1）を付ける。
【００４７】
現在のシステム帯域幅で使用可能なリソースブロックの総数をNPRBとし、ターゲットダウンリンクのサブフレームにおける使用可能な物理ハイブリッドARQチャネルグループの総数をNgroupとし、ユーザから送信したデータが配置されたアップリンクのサブフレームの、新たに番号が付けられたインデックスをIndexUSFとし、インデックスIndexUSFのアップリンクのサブフレームが配置された物理リソースブロックの最小の番号インデックスをIndex1stPRBとし、前記アップリンクのデータに対応するパイロット巡回シフト量のインデックスをIndexDMRSとし、一つの物理ハイブリッドARQチャネルグループに含まれる物理ハイブリッドARQチャネルの数をNlocalとし、ターゲットダウンリンクのサブフレームにおいて、ACK / NACKのメッセージを送信する物理ハイブリッドARQチャネルのインデックスをIndexPHICHとし、対応する物理ハイブリッドARQチャネルグループのインデックスをIndexgroupとし、ACK / NACKのメッセージを送信する物理ハイブリッドARQチャネルが位置する物理ハイブリッドARQチャネル内におけるインデックスをIndexlocalとすると、前記第2種類の配置方法に基づいて、以下の式により物理ハイブリッドARQチャネルのインデックスであるIndexPHICHを特定することができる。
【００４８】
IndexPRB = Index1stPRB + IndexUSF ×NPRB
Indexgroup =  (IndexPRB  + IndexDMRS) mod Ngroup
Indexlocal = ([IndexPRB / Ngroup] + IndexDMRS ) mod Nlocal
IndexPHICH = Indexgroup + Indexlocal× Ngroup
その中、k = 1、2; Nlocal = 8である。
【００４９】
技術案2：
連続的な2つのアップリンクのサブフレームのACK / NACKのメッセージが同一のダウンリンクのサブフレームにマッピングされる場合、まず物理リソースブロックのインデックスを行い、次にアップリンクのサブフレームのインデックスを行うことにより、物理ハイブリッドARQインジケータチャネルを割り当てする。
【００５０】
技術案1と2に、連続的な2つのアップリンクのサブフレームを例として、複数のアップリンクのサブフレームがスケジューリングされる場合のマッピング方法を説明するが、1つのアップリンクのサブフレームがスケジューリングされる場合にも適用される。
【００５１】
●第1種類の配置方法
まず、同一のダウンリンクのサブフレームによりACK/NACKのメッセージが送信されるアップリンクのサブフレームの数kを特定し、前記k個のアップリンクのサブフレームに対して新たに番号（#0，…，#k-1）を付ける。ユーザから送信したデータが配置されるアップリンクのサブフレームの、新たに番号が付けられたインデックスがIndexUSF（すなわち、＃0、...、＃k-1）である。
【００５２】
アップリンクのサブフレームのインデックスIndexUSFの順に、同一のダウンリンクのサブフレームにACK/NACKメッセージが送信されるすべてのアップリンクのサブフレームにおける同一の位置の物理リソースブロックを並べ、順番に番号を付けることにより、その物理リソースブロックのインデックスを決定する。すなわち、1番目と2番目のアップリンクのサブフレームの第1の物理リソースブロックを並べ、それぞれに＃1と＃2の番号を付け、1番目と2番目のアップリンクのサブフレームの第2の物理リソースブロックを並べ、それぞれに＃3と＃4の番号を付ける。このように、すべてのアップリンクのサブフレームにおけるすべての物理リソースブロックに対して番号を付けることにより、物理リソースブロックのインデックスを取得する。
【００５３】
そして、すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループに均等に割り当て、すなわち、新たに番号が付けられた物理リソースブロックのインディクスを、Ngroup個の物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングする。
【００５４】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００５５】
具体的に実現するときに、まず、同一のダウンリンクのサブフレームにACK/NACKのメッセージが送信されるk個のアップリンクのサブフレームに対して新たに番号（#0，…，#k-1）を付ける。
【００５６】
現在のシステム帯域幅で使用可能なリソースブロックの総数をNPRBとし、ターゲットダウンリンクのサブフレームにおける使用可能な物理ハイブリッドARQチャネルグループの総数をNgroupとし、ユーザから送信したデータが配置されたアップリンクのサブフレームの、新たに番号が付けられたインデックスをIndexUSFとし、インデックスIndexUSFのアップリンクのサブフレームが配置された物理リソースブロックの最小の番号インデックスをIndex1stPRBとし、前記アップリンクのデータに対応するパイロット巡回シフト量のインデックスをIndexDMRSとし、ターゲットダウンリンクのサブフレームにおいて、ACK / NACKのメッセージを送信する物理ハイブリッドARQチャネルのインデックスをIndexPHICHとし、対応する物理ハイブリッドARQチャネルグループのインデックスをIndexgroupとし、ACK / NACKのメッセージを送信する物理ハイブリッドARQチャネルが位置する物理ハイブリッドARQチャネル内におけるインデックスをIndexlocalとし、一つの物理ハイブリッドARQチャネルグループに含まれる物理ハイブリッドARQインジケータチャネルの数をNlocalとすると、技術案2の第1種類の配置方法に基づいて、以下の式により物理ハイブリッドARQチャネルのインデックスであるIndexPHICHを特定することができる。
【００５７】
IndexPRB = Index1stPRB × k + IndexUSF
Indexgroup =  (IndexPRB  + IndexDMRS) mod Ngroup
Indexlocal = ([IndexPRB / Ngroup] + IndexDMRS ) mod Nlocal
IndexPHICH = Indexgroup + Indexlocal × Ngroup
その中、k = 1、2; Nlocal = 8である。
【００５８】
●第2種類の配置方法
まず、同一のダウンリンクのサブフレームによりACK/NACKのメッセージが送信されるアップリンクのサブフレームの数kを特定し、前記k個のアップリンクのサブフレームに対して新たに番号（#0，…，#k-1）を付ける。ユーザから送信したデータが配置されるアップリンクのサブフレームの、新たに番号の付けられたインデックスがIndexUSF（すなわち、＃0、...、＃k-1）である。
【００５９】
アップリンクのサブフレームのインデックスIndexUSFの順に、同一のダウンリンクのサブフレームにACK/NACKメッセージが送信されるすべてのアップリンクのサブフレームにおける同一の位置の物理リソースブロックを並べ、順番に番号を付けることにより、その物理リソースブロックのインデックスを決定する。すなわち、1番目と2番目のアップリンクのサブフレームの第1の物理リソースブロックを並べ、それぞれに＃1と＃2の番号を付け、1番目と2番目のアップリンクのサブフレームの第2の物理リソースブロックを並べ、それぞれに＃3と＃4の番号を付ける。このように、すべてのアップリンクのサブフレームにおけるすべての物理リソースブロックに対して番号を付けることにより、物理リソースブロックのインデックスを取得する。
【００６０】
そして、すべてのアップリンクのサブフレームにおけるすべての物理リソースブロックのインデックスを、各アップリンクのサブフレームのインデックスの順に、すべてのアップリンクのサブフレームに対応するすべての物理ハイブリッドARQチャネルグループにペア単位で均等に割り当てし、すなわち、新たに番号が付けられた物理リソースブロックのインディクスを、インディクスの順番に2つずつを1ペアとしてNgroup個の物理ハイブリッドARQチャネルグループに均等に割り当て、物理ハイブリッドARQチャネルグループにおいて対応する物理リソースブロックのインデックスをグループ内の物理ハイブリッドARQチャネルに順番にマッピングする。
【００６１】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００６２】
具体的に実現するときに、まず、同一のダウンリンクのサブフレームにACK/NACKのメッセージが送信されるk個のアップリンクのサブフレームに対して新たに番号（#0，…，#k-1）を付ける。
【００６３】
現在のシステム帯域幅で使用可能なリソースブロックの総数をNPRBとし、ターゲットダウンリンクのサブフレームにおける使用可能な物理ハイブリッドARQチャネルグループの総数をNgroupとし、ユーザから送信したデータが配置されたアップリンクのサブフレームの、新たに番号が付けられたインデックスをIndexUSFとし、インデックスIndexUSFのアップリンクのサブフレームが配置された物理リソースブロックの最小の番号インデックスをIndex1stPRBとし、アップリンクのデータに対応するパイロット巡回シフト量のインデックスをIndexDMRSとし、ターゲットダウンリンクのサブフレームにおいて、ACK / NACKのメッセージを送信する物理ハイブリッドARQチャネルのインデックスをIndexPHICHとし、対応する物理ハイブリッドARQチャネルグループのインデックスをIndexgroupとし、ACK / NACKのメッセージを送信する物理ハイブリッドARQチャネルが位置する物理ハイブリッドARQチャネル内におけるインデックスをIndexlocalとし、一つの物理ハイブリッドARQチャネルグループに含まれる物理ハイブリッドARQチャネルの数をNlocalとすると、技術案2の第2種類の配置方法に基づいて、以下の式により物理ハイブリッドARQインジケータチャネルのインデックスであるIndexPHICHを特定することができる。
【００６４】
Indexgroup =  (Index1stPRB + IndexDMRS) mod Ngroup
Indexlocal = ([Index1stPRB / Ngroup] × k + IndexUSF + IndexDMRS ) mod Nlocal
IndexPHICH = Indexgroup + Indexlocal× Ngroup
あるいは、
IndexPHICH = Indexgroup × k + IndexUSF +[ Indexlocal / k]  ×k×Ngroup
その中、k = 1、2; Nlocal = 8である。
【００６５】
前述した4つの配置方法において、アップリンクのデータの配置された物理リソースブロックのインデックスは、アップリンクのデータの配置された物理リソースブロックのうち番号最小のものであってもよく、番号最大のものであってもよい。この番号最大または番号最小の物理リソースブロックのインデックスは、このアップリンクのサブフレームにおけるアップリンクのデータに対応する物理リソースブロックの先頭または終了ブロックを標記する。
【００６６】
ここで、最小の番号とは、割り当てられるリソースのインデックスにおける最小の番号であり、例えば、ターゲットユーザーに＃2、＃3、＃4、＃5のリソースが割り当てられる場合、最小の番号は2であり、最大の番号は5である。最大の番号や最小の番号は思想的に同じであるが、Index1stPRBの値が異なるのみであり、すなわち、最大の番号と最小の番号を置き換えることができる。前述した4つの配置方法では、アップリンクのデータに対応するパイロット巡回シフト量のインデックスの値を0に設定することができ、前記式に変数IndexDMRSがないことに相当する。
【００６７】
以下、図1のフレーム構造の図を参照しながら、特定の応用例を使用して、本発明の技術案および配置方法を詳細に説明する。
【００６８】
●応用例1
アップリンクのサブフレームにおける使用可能な物理リソースブロックの総数を24とし、物理ハイブリッドARQチャネルグループに8つの物理ハイブリッドARQチャネルが含まれ、アップリンクのサブフレームとダウンリンクのサブフレームの比率を3:2とし、その中、DwPTSは特別なダウンリンクのサブフレームとなすことができ、2つのアップリンクのサブフレームのACKメッセージが同一のダウンリンクのサブフレームに送信され、ターゲットのダウンリンクのサブフレームにおいて使用可能な物理ハイブリッドARQチャネルグループが6つあると仮定する。
【００６９】
最初の3つの物理ハイブリッドARQチャネルグループは、1番目のアップリンクのサブフレームにおける物理リソースブロックのインデックスに対応し、次の3つの物理ハイブリッドARQチャネルグループは、2番目のアップリンクのサブフレームにおける物理リソースブロックのインデックスに対応する。
【００７０】
各アップリンクのサブフレームの物理リソースブロックのインデックスは、各アップリンクのサブフレームが3つの物理ハイブリッドARQチャネルグループに対応するように、このアップリンクのサブフレームが対応するすべての物理リソースブロックのインデックスを3つのグループに均等に割り当てる。すなわち、
1番目のアップリンクのサブフレームが対応する3つの物理ハイブリッドARQチャネルグループについて、
1番目の物理ハイブリッドARQチャネルグループに、{＃0、＃3、＃6、＃9、＃12、＃15、＃18、＃21}、
2番目の物理ハイブリッドARQチャネルグループに、{＃1、＃4、＃7、＃10、＃13、＃16、＃19、＃22}、
3番目の物理ハイブリッドARQチャネルグループに、{＃2、＃5、＃8、＃11、＃14、＃17、＃20、＃23}が含まれ、
2番目のアップリンクのサブフレームが対応する3つの物理ハイブリッドARQチャネルグループについて、
4番目の物理ハイブリッドARQチャネルグループに、{＃24、＃27、＃30、＃33、＃36、＃39、＃42、＃45}、
5番目の物理ハイブリッドARQチャネルグループに、{＃25、＃28、＃31、＃34、＃37、＃40、＃43、＃46}、
6番目の物理ハイブリッドARQチャネルグループに、{＃26、＃29、＃32、＃35、＃38、＃41、＃44、＃47}が含まれる。
【００７１】
次に、物理リソースブロックのインデックスに基づいて、各物理ハイブリッドARQチャネルグループに含まれている物理リソースブロックのインデックスをこの物理ハイブリッドARQチャネルグループに含まれている物理ハイブリッドARQチャネルに順番に対応させる。
【００７２】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００７３】
図2に示すように、ターゲットユーザーから送信したデータは2番目のアップリンクのサブフレームにおける3番目と4番目の物理リソースブロックにあり、その物理リソースブロックのインデックスは＃3と＃4であり、対応するパイロット巡回シフト量のインデックスは0である場合、
IndexUSF =1 ； Nlocal = 8；Ngroup=3；Index1stPRB=3；IndexDMRS=0；
Indexgroup =  (Index1stPRB  + IndexDMRS) mod Ngroup + Ngroup ×IndexUSF
=（3+0）mod 3 + 3×1 = 3；
Indexlocal = ([Index1stPRB / Ngroup]  + IndexDMRS ) mod Nlocal
= ([3 / 3]  + 0 ) mod 8 = 1；
IndexPHICH = Ngroup×Nlocal×IndexUSF + Indexgroup - Ngroup×IndexUSF + Indexlocal × Ngroup
= 3×8×1 + 3 -3×1 +1 × 3 = 27。
【００７４】
●応用例2
アップリンクのサブフレームにおける使用可能な物理リソースブロックの総数を24とし、物理ハイブリッドARQチャネルグループに8つの物理ハイブリッドARQチャネルが含まれ、アップリンクのサブフレームとダウンリンクのサブフレームの比率を3:2とし、その中、DwPTSは特別なダウンリンクのサブフレームとなすことができ、2つのアップリンクのサブフレームのACKメッセージが同一のダウンリンクのサブフレームに送信され、ターゲットのダウンリンクのサブフレームにおいて使用可能な物理ハイブリッドARQチャネルグループが6つあると仮定する。まずアップリンクのサブフレームのインデックスを行い、次に物理リソースブロックのインデックスを行うことにより、物理ハイブリッドARQインジケータチャネルを割り当てる。
【００７５】
すべてのアップリンクのサブフレームにおける物理リソースブロックは、まずアップリンクのサブフレームの番号をインデックスした順序、次に物理リソースブロックをインデックスした順序で、Index1stPRB（#0，#1，…，#47）のように新たに番号を付けることにより、すべてのアップリンクのサブフレームのすべての物理リソースブロックに対して新たに番号を付け、新たに番号が付けられた物理リソースブロックのインデックスを6つの物理ハイブリッドARQチャネルグループに均等に割り当てる。すなわち、
1番目の物理ハイブリッドARQチャネルグループに、{#0，#6，#12，#18，#24，#30，#36，#42}、
2番目の物理ハイブリッドARQチャネルグループに、{#1，#7，#13，#19，#25，#31，#37，#43}、
3番目の物理ハイブリッドARQチャネルグループに、{#2，#8，#14，#20，#26，#32，#38，#44}、
4番目の物理ハイブリッドARQチャネルグループに、{#3，#9，#15，#21，#27，#33，#39，#45}、
5番目の物理ハイブリッドARQチャネルグループに、{#4，#10，#16，#22，#28，#34，#40，#46}、
6番目の物理ハイブリッドARQチャネルグループに、{#5，#11，#17，#23，#29，#35，#41，#47}が含まれる。
【００７６】
次に、物理リソースブロックのインデックスに基づいて、各物理ハイブリッドARQチャネルグループに含まれている物理リソースブロックのインデックスをこの物理ハイブリッドARQチャネルグループに含まれている物理ハイブリッドARQチャネルに順番に対応させる。例えば、1番目の物理ハイブリッドARQチャネルグループ{＃0、＃6、＃12、＃18、＃24、＃30、＃36、＃42}の各物理リソースブロックのインデックスは、0-7番目の物理ハイブリッドARQインジケータチャネルに順番に対応する。
【００７７】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００７８】
図3に示すように、ターゲットユーザーから送信したデータは2番目のアップリンクのサブフレームにおける3番目と4番目の物理リソースブロックにあり、その物理リソースブロックのインデックスは＃3と＃4であり、対応するパイロット巡回シフト量のインデックスは0である場合、
IndexUSF =1 ； Nlocal = 8；Ngroup=6；Index1stPRB=3；IndexDMRS=0；
IndexPRB = Index1stPRB + IndexUSF ×NPRB
= 3 + 1×24 = 27
Indexgroup =  (IndexPRB  + IndexDMRS) mod Ngroup
=  (27+ 0) mod 6 = 3
Indexlocal = ([IndexPRB / Ngroup] + IndexDMRS ) mod Nlocal
= ([27/ 6] + 0) mod 8 = 4
IndexPHICH = Indexgroup + Indexlocal × Ngroup
= 3 + 4×6 = 27
●応用例3
アップリンクのサブフレームにおける使用可能な物理リソースブロックの総数を24とし、物理ハイブリッドARQチャネルグループに8つの物理ハイブリッドARQチャネルが含まれ、アップリンクのサブフレームとダウンリンクのサブフレームの比率を3:2とし、その中、DwPTSは特別なダウンリンクのサブフレームとなすことができ、2つのアップリンクのサブフレームのACKメッセージが同一のダウンリンクのサブフレームに送信され、ターゲットのダウンリンクのサブフレームにおいて使用可能な物理ハイブリッドARQチャネルグループが6つあると仮定する。
【００７９】
すべてのアップリンクのサブフレームにおける物理リソースブロックは、まず物理リソースブロックをインデックスし、次にアップリンクのサブフレームの番号をインデックスした順に、Index1stPRB（#0，#1，…，#47）のように新たに番号を付ける。アップリンクのサブフレームにおける物理リソースブロックに、始めのリソースブロックを優先する原理で、番号を付ける。つまり、＃1と＃2のアップリンクのサブフレームにおける1番目のリソースブロックに対して、＃1と＃2の番号をそれぞれ付け、同じように、次のリソースブロックに番号を付ける。新たに番号が付けられた物理リソースブロックを、物理リソースブロックのインディクスの順番に、6つの物理ハイブリッドARQチャネルグループに均等に割り当てる。すなわち、
1番目の物理ハイブリッドARQチャネルグループに、{#0，#6，#12，#18，#24，#30，#36，#42}、
2番目の物理ハイブリッドARQチャネルグループに、{#1，#7，#13，#19，#25，#31，#37，#43}、
3番目の物理ハイブリッドARQチャネルグループに、{#2，#8，#14，#20，#26，#32，#38，#44}、
4番目の物理ハイブリッドARQチャネルグループに、{#3，#9，#15，#21，#27，#33，#39，#45}、
5番目の物理ハイブリッドARQチャネルグループに、{#4，#10，#16，#22，#28，#34，#40，#46}、
6番目の物理ハイブリッドARQチャネルグループに、{#5，#11，#17，#23，#29，#35，#41，#47}が含まれる。
【００８０】
次に、物理リソースブロックのインデックスに基づいて、各物理ハイブリッドARQチャネルグループに含まれている物理リソースブロックのインデックスをこの物理ハイブリッドARQチャネルグループに含まれている物理ハイブリッドARQチャネルに順番に対応させる。
【００８１】
最後に、アップリンクのデータに対応するパイロット巡回シフト量のインデックスに基づいて、物理ハイブリッドARQチャネルグループ同士および物理ハイブリッドARQチャネルグループ内において位置を調整する。
【００８２】
図4に示すように、ターゲットユーザーから送信したデータは2番目のアップリンクのサブフレームにおける3番目と4番目の物理リソースブロックにあり、その物理リソースブロックのインデックスは＃3と＃4であり、対応するパイロット巡回シフト量のインデックスは0である場合、
k=2 ；IndexUSF =1 ； Nlocal = 8；Ngroup=6；Index1stPRB=3；IndexDMRS=0；
IndexPRB = Index1stPRB × k + IndexUSF
= 3×2 + 1= 7
Indexgroup =  (IndexPRB + IndexDMRS) mod Ngroup
=  (7+ 0) mod 6 = 1
Indexlocal = ([IndexPRB / Ngroup]  + IndexDMRS ) mod Nlocal
= ([7/ 6]  + 0) mod 8 = 1
IndexPHICH = Indexgroup + Indexlocal × Ngroup
= 1+ 1× 6 = 7
●応用例4
アップリンクのサブフレームにおける使用可能な物理リソースブロックの総数を24とし、物理ハイブリッドARQチャネルグループに8つの物理ハイブリッドARQチャネルが含まれ、アップリンクのサブフレームとダウンリンクのサブフレームの比率を3:2とし、その中、DwPTSは特別なダウンリンクのサブフレームとなすことができ、2つのアップリンクのサブフレームのACKメッセージが同一のダウンリンクのサブフレームに送信され、ターゲットのダウンリンクのサブフレームにおいて使用可能な物理ハイブリッドARQチャネルグループが6つあると仮定する。
【００８３】
まず物理リソースブロックをインデックスし、次にアップリンクのサブフレームの番号をインデックスし、アップリンクのサブフレームにおける物理リソースブロックに、始めのリソースブロックを優先する原理で番号を付ける。つまり、＃1と＃2のアップリンクのサブフレームにおける1番目のリソースブロックに対して、＃1と＃2の番号をそれぞれに付け、これように、次のブロックに番号を付ける。リソースブロックのインデックスを、物理ハイブリッドARQインジケータチャネルグループに割り当てる時に、物理リソースブロックのインデックスに基づいて物理リソースブロックペアを単位として順番に均等に割り当てる。図5に示すように、例えば、＃1と＃2の物理リソースブロックをペアとして1番目のチャネルグループ、＃3と＃4の物理リソースブロックをペアとして2番目のチャネルグループに割り当て、チャネルグループに物理ハイブリッドARQインジケータチャネルを割り当て、インデックスの同一の物理リソースブロックのACKメッセージを、同一の物理ハイブリッドARQインジケータチャネルに送信する。
【００８４】
図5に示すように、ターゲットユーザーから送信したリソースは2番目のアップリンクのサブフレームにおける3番目と4番目の物理リソースブロックにあり、その物理リソースブロックのインデックスは＃3と＃4であり、対応するパイロット巡回シフト量のインデックスは0である場合、
k=2 ；IndexUSF =1 ；Nlocal = 8；Ngroup=6；Index1stPRB=3；IndexDMRS=0；
Indexgroup =  (Index1stPRB + IndexDMRS) mod Ngroup
=  (3+ 0) mod 6 = 3
Indexlocal  = ([Index1stPRB / Ngroup] × k + IndexUSF + IndexDMRS ) mod Nlocal
= ([3/ 6]  × 2 + 1+ 0) mod 6 = 1
IndexPHICH = Indexgroup × k + IndexUSF +[Indexlocal / k]  ×k×Nlocal 
= 3× 2 + 1+ [ 1/ 2] ×2×6 = 7
上述した本発明の実施形態は、本発明を説明する例示だけであり、限定するものではない。当業者にとって、本発明は、さまざまな変更と変化をすることができる。本発明の精神あるいは原則から逸脱することなく、任意の変更あるいは同等の交換あるいは改善は本発明の特許請求の範囲に含まれるべきである。
【産業上の利用可能性】
【００８５】
本発明の物理ハイブリッドARQインジケータチャネル割り当て方法は、アップリンクのデータが配置された物理リソースブロックのインデックスと、前記アップリンクのデータに対応するパイロット巡回シフト量のインデックスと、前記アップリンクのデータが配置されたアップリンクのサブフレームのインデックスとを使用して、アップリンクのデータに関するACK / NACKのメッセージを送信する物理ハイブリッドARQインジケータチャネルのインデックスを表す。従来技術と比較すると、前記アップリンクのサブフレームのインデックスを追加するので、物理ハイブリッドARQインジケータチャネルをより正確に割り当て、チャネルの競合を回避し、シグナリングによるオーバーヘッドを削減するとともに、アップリンクのスロットとダウンリンクのスロットの比率が異なる場合にも適応する。
【図１】
2011514788.tif 000003
【図２】
2011514788.tif 000004
【図３】
2011514788.tif 000005
【図４】
2011514788.tif 000006
【図５】
2011514788.tif 000007
【国際調査報告】
2011514788.tif 000008
2011514788.tif 000009
2011514788.tif 000010
2011514788.tif 000011